【手続補正書】
【提出日】平成16年5月17日(2004.5.17)
【手続補正１】
【補正対象書類名】明細書
【補正対象項目名】特許請求の範囲
【補正方法】変更
【補正の内容】
【特許請求の範囲】
【請求項１】
次の構成を有する媒体用のディスペンサ
１．１  吐出本体（４）と、
１．２  その上に設けられた吐出接続部（６）と、
１．２．１  それが、露出端壁（２０、４１）から自由に突き出ていることと、
１．３  吐出接続部（６）を横断する媒体用の吐出ダクト（２８）のノズルダクト（８）と、
１．４  ノズルダクト（８）の外端によって形成された媒体出口（７）と、
１．５  出口ダクト（２８）によって決定される流れ方向（４０）と、
１．６  弁（１０）と、
１．６．１  その弁座（５１）が、ノズルダクト（８）の内端に配置されていることと、
１．６．２  その可動式の弁本体（５０）が、サポート（５）上に可動に設けられていて、制御装置（１８）が付設されていることと、
１．７  制御装置（１８）が、流れ方向（４０）において吐出接続部（６）内に挿入されていることと、
１．８  弁バネ（３７）が、弁（１０）をノズルダクト（８）の方向に付勢していることと、
１．９  制御装置（１８）が制御用チャンバ（３２）を有することと、
１．９．１  それが、媒体圧力によって作動するピストン（５２）と密閉リップによって密閉されていることと、
１．９．２  それが、制御用チャンバ・ジャケット（３４）により画成されていることと、
１．９．３  それが、ケーシング・ジャケット（３３）内に放射方向のスペースを有するように配置されていることと、
１．９．４  その放射方向のスペースが、出口ダクト（２８）に出る媒体案内接続ダクト（３８）を形成すること。
【請求項２】
制御装置（１８）は、流れ方向（４０）において閉鎖し且つ弁本体（５０）と共に１つの部品として構成される弁本体のための弁バネ（３７）を含んで成り、詳細には、弁本体（５０）は、前壁部（４１）の下流の長楕円形吐出スタッド（６）を少なくとも部分的に横断してコア軸（２６）の端部によって形成され、軸（２６）の上流端部は、弁バネ（３７）に対して直接に接続されるように成し、好適には、弁バネ（３７）は、変形可能な圧力ボックスを画成するように成した、請求項１に記載のディスペンサ。
【請求項３】
支持体（５）は、吐出本体（４）の中においてスナップ接続部（４８）によって位置固定されるように成し、詳細には、支持体（５）は、スナップ作用部材として、吐出ダクト（２８）を離れて環状に取り囲むスナップビードを有するように成し、好適には、スナップビード（４８）は、前壁部（４１）の近傍に配置されるように成した、請求項１又は２に記載のディスペンサ。
【請求項４】
支持体（５）は、流れ方向（４０）に直交して方向付けられ且つ弁本体（５０）に関して半径方向に突出するプレート（２０）を有し、プレート（２０）は、前壁部（４１）に直接に隣接して配置されるように成し、詳細には、プレート（２０）は、吐出本体（４）の中において固定的様式で縁部（４８）と係合するように成し、好適には、支持体（５）は、吐出スタッド（６）の中へ突出するように成した請求項１〜３のいずれか１項に記載のディスペンサ。
【請求項５】
弁座（５１）は、支持体（５）と共に吐出スタッド（６）の中に配置されるように成し、詳細には、弁座（５１）は、吐出スタッド（６）の中に挿入されるコア・スリーブ（２５）の端部に設けられ、且つ離間する間隙を備えて弁座（５１）の上流の弁本体（５０）を狭隘に取り囲むように成し、好適には、コア・スリーブ（２５）は、下流端部において、弁座（５１）によって媒体出口（７）を同軸的に横断して環状前壁部（２７）を形成するように成した、請求項１〜４のいずれか１項に記載のディスペンサ。
【請求項６】
支持体（５）は、第２出口ダクト（２９）を画成し、詳細には、第２出口ダクト（２９）は、第１出口ダクト（２８）から独立して、噴霧ノズルを形成するノズルダクト（８）及び弁座（５１）の間において、吐出スタッド（６）を完全に横断し、第２出口ダクト（２９）は、混合チャンバの中に配給するように成し、好適には、支持体（５）及び吐出スタッド（６）は、断面を併せて第２出口ダクト（２９）を境界設定するように成した、請求項１〜５のいずれか１項に記載のディスペンサ。
【請求項７】
支持体（５）は、流れ方向（４０）とは逆方向に自由に突出する接続部（２１，２２）を有するように成し、詳細には、接続部（２１，２２）は、出口ダクト（２８，４７）を画成し且つ下流方向において前壁部（２０，４１）に接続するように成し、好適には、第１接続部（２１）は、弁本体（５０）を担持する弁（１０）の弁タペット（２６）を受容し、第２接続部（２２）は、第２媒体のための圧力チャンバ（１２）に対して接続され、前記圧力チャンバ（１２）を媒体出口（７）に対して接続するように成した、請求項１〜６のいずれか１項に記載のディスペンサ。
【請求項８】
媒体及び第２媒体のための２つの別個の貯蔵チャンバ（１１，１２）は、媒体出口（７）に対して入れ子状に納められ接続されるように成し、詳細には、第１貯蔵チャンバ（１１）は、ディスペンサ・ベース（２）によって形成され、第２貯蔵チャンバ（１２）は、支持体（５）によってベース（２）の上に固定されるスラック・バッグ（４６）によって形成されるように成し、好適には、ベース（２）は、容器と、弁バネ（３７）に係合する第１容器開口において、支持体（５）の第１固定部材（２１）と共に、容器開口を閉鎖し、更に第２貯蔵チャンバ（１２）のネック（１９）及び支持体（５）の第２固定部材（２２）に係合する第２容器開口においても容器開口を閉鎖する容器カバーとして構成される吐出本体（４）とを含んで成るように成した、請求項１〜７のいずれか１項に記載のディスペンサ。
【請求項９】
２本の吐出ダクト（２８，２９）に関しては、確実に相互接続されて弁本体を包含することになる独立した第１及び第２のクロージャ部材（５０，５３）が設けられ、弁本体（５０，５３）は、互いの中にほぼ同軸的に配置されるように成し、好適には、クロージャは、スライド弁として構成され、付随の弁本体（５３）は、ピストン・リップによって形成されるように成した、請求項１〜８のいずれか１項に記載のディスペンサ。
【請求項１０】
媒体出口（７）に接続される貯蔵チャンバ（１２）は、開口部の中に配給する入口弁（４３）に対して接続され、詳細には、入口弁（４３）の可動式弁本体（４５）は、支持体（５）及び／又は吐出本体（４）の傍らの弁座によって形成されるように成し、好適には、支持体（５）は、一方のプレート側面に向かってのみ容器（３）の中へ突出する部材（２１，２２）を固定する支持体プレート（２０）から軸方向に見て容器（３）を実質的に覆う支持体プレート（２０）と、もう一方のプレート側面に対して吐出スタッド（６）の中へ突出するコア・スリーブ（２５）とを包含するように成し、弁座（５１）及び出口弁（１０）の弁バネ（３７）は、スナップ接続によって相互接続されるように成した、請求項１〜９のいずれか１項に記載のディスペンサ。
【請求項１１】
媒体のための少なくとも１つの貯蔵チャンバ（１１，１２）は、絞り出し容器（３）によって形成されるように成し、詳細には、絞り出し容器は、本来的に安定した吐出本体（４）から離間した位置においてのみ手動圧縮によって弾力的に変形可能であるように成し、好適には、軸方向において、吐出本体（４）は、その長手方向の伸延部の少なくとも一部（４１，４２）に関して長楕円形であるように成した、請求項１〜１０のいずれか１項に記載のディスペンサ。